(57)【要約】【課題】水蒸気等の進入の原因となるようなクラックが外装フィルムに発生するのを抑制した電子ペーパを提供する。【解決手段】この電子ペーパ１は、薄板矩形状を有する電子ペーパ本体２と、熱圧着により電子ペーパ本体２を被覆する上側外装フィルム３Ａおよび下側外装フィルム３Ｂと、電子ペーパ本体２の周縁角部に接着剤等により接合された弾性部材としてのパット４とを備えて構成され、パット４は、熱圧着により外装フィルム３Ａ，３Ｂが電子ペーパ本体２の周縁角部に密着したときに外装フィルム３Ａ．３Ｂに生じる応力を緩和する応力緩和部として機能する。【選択図】図１
2008275684.tif 000002
【特許請求の範囲】
【請求項１】
薄板状の電子ペーパ本体と、
熱可塑性フィルム基板に無機水蒸気バリア膜を積層して形成され、前記電子ペーパ本体を熱圧着により被覆する外装フィルムと、
前記熱圧着により前記外装フィルムが前記電子ペーパ本体の周縁角部に密着したときに前記外装フィルムに生じる応力を緩和する応力緩和部とを備えた電子ペーパ。
【請求項２】
前記応力緩和部は、前記電子ペーパ本体の前記周縁角部に設けられた傾斜面又は弧状面である請求項１に記載の電子ペーパ。
【請求項３】
前記応力緩和部は、前記電子ペーパ本体の前記周縁角部と前記外装フィルムとの間に配置された弾性部材である請求項１又は２に記載の電子ペーパ。
【請求項４】
前記応力緩和部は、前記電子ペーパ本体の前記周縁角部と前記外装フィルムとの間に配置された粘弾性部材である請求項１又は２に記載の電子ペーパ。
【請求項５】
前記粘弾性部材は、前記電子ペーパ本体の表面全体を覆った透光性を有するゲル層である請求項４に記載の電子ペーパ。
【請求項６】
前記電子ペーパ本体は、外周縁側に枠部を有し、
前記応力緩和部は、前記熱圧着により前記外周フィルムが前記枠部の周縁角部に密着したときに前記外装フィルムに生じる応力を緩和する請求項１に記載の電子ペーパ。
【請求項７】
前記外装フィルムは、一対の外装フィルムで前記電子ペーパ本体を挟み、前記一対の外装フィルムの周辺部同士を熱圧着により接合された請求項２乃至６のいずれか１項に記載の電子ペーパ。
【請求項８】
前記外装フィルムは、熱圧着により１枚の外装フィルムの対向する端部同士を接合して前記電子ペーパ本体を筒状に包み、その筒状の両開口を閉塞したものである請求項２乃至６のいずれか１項に記載の電子ペーパ。
【請求項９】
前記１枚の外装フィルムの対向する前記端部は、前記電子ペーパの表示面と反対の面に位置する請求項８に記載の電子ペーパ。
【請求項１０】
前記電子ペーパ本体は、コレステリック液晶と、前記コレステリック液晶を挟む一対の基板とを備えた請求項１に記載の電子ペーパ。
【発明の詳細な説明】
【技術分野】
【０００１】
本発明は、電子ペーパに関する。
【背景技術】
【０００２】
従来、ディスプレイユニットを水蒸気、酸素等のガスの進入防止用のフィルムで覆ったディスプレイが提案されている（例えば、特許文献１参照）。
【０００３】
このディスプレイは、アルミニウム箔ラミネート複合フィルムからなる容器本体と、容器本体に収納されたディスプレイユニットと、容器本体の周縁部に接合されてディスプレイユニットを密封する透明ガスバリア性フィルムからなる蓋材とを備える。
【０００４】
このように構成されたディスプレイは、アルミニウム箔ラミネート複合フィルムをプレス加工して凹部を有する容器本体を形成し、容器本体の凹部にディスプレイユニットを収納した後、容器本体の周縁部と蓋部材とを加熱加圧ロールを用いて接合することにより、製造される。
【０００５】
上記ディスプレイによれば、ディスプレイの表示画面を視認することができ、水蒸気等の進入によるディスプレイユニットの性能劣化を防止することができる。
【特許文献１】特開２００５−８０２６９号公報
【発明の開示】
【発明が解決しようとする課題】
【０００６】
本発明の目的は、水蒸気等の進入の原因となるようなクラックが外装フィルムに発生するのを抑制した電子ペーパを提供することにある。
【課題を解決するための手段】
【０００７】
本発明の一態様は、上記目的を達成するため、以下の電子ペーパを提供する。
【０００８】
［１］薄板状の電子ペーパ本体と、熱可塑性フィルム基板に無機水蒸気バリア膜を積層して形成され、前記電子ペーパ本体を熱圧着により被覆する外装フィルムと、前記熱圧着により前記外装フィルムが前記電子ペーパ本体の周縁角部に密着したときに前記外装フィルムに生じる応力を緩和する応力緩和部とを備えた電子ペーパ。
【０００９】
［２］前記応力緩和部は、前記電子ペーパ本体の前記周縁角部に設けられた傾斜面又は弧状面である前記［１］に記載の電子ペーパ。
【００１０】
［３］前記応力緩和部は、前記電子ペーパ本体の前記周縁角部と前記外装フィルムとの間に配置された弾性部材である前記［１］又は［２］に記載の電子ペーパ。
【００１１】
［４］前記応力緩和部は、前記電子ペーパ本体の前記周縁角部と前記外装フィルムとの間に配置された粘弾性部材である前記［１］又は［２］に記載の電子ペーパ。
【００１２】
［５］前記粘弾性部材は、前記電子ペーパ本体の表面全体を覆った透光性を有するゲル層である前記［４］に記載の電子ペーパ。
【００１３】
［６］前記電子ペーパ本体は、外周縁側に枠部を有し、前記応力緩和部は、前記熱圧着により前記外周フィルムが前記枠部の周縁角部に密着したときに前記外装フィルムに生じる応力を緩和する前記［１］に記載の電子ペーパ。
【００１４】
［７］前記外装フィルムは、一対の外装フィルムで前記電子ペーパ本体を挟み、前記一対の外装フィルムの周辺部同士を熱圧着により接合された前記［２］乃至［６］のいずれか１つに記載の電子ペーパ。
【００１５】
［８］前記外装フィルムは、熱圧着により１枚の外装フィルムの対向する端部同士を接合して前記電子ペーパ本体を筒状に包み、その筒状の両開口を閉塞したものである前記［２］乃至［６］のいずれか１つに記載の電子ペーパ。
【００１６】
［９］前記１枚の外装フィルムの対向する前記端部は、前記電子ペーパの表示面と反対の面に位置する前記［８］に記載の電子ペーパ。
【００１７】
［１０］前記電子ペーパ本体は、コレステリック液晶と、前記コレステリック液晶を挟む一対の基板とを備えた前記［１］に記載の電子ペーパ。
【発明の効果】
【００１８】
請求項１に係る電子ペーパによれば、水蒸気等の進入の原因となるようなクラックが外装フィルムに発生するのを抑制することができる。
【００１９】
請求項２に係る電子ペーパによれば、新たに部品を追加することなく、水蒸気等の進入の原因となるようなクラックが外装フィルムに発生するのを抑制することができる。
【００２０】
請求項３に係る電子ペーパによれば、弾性部材を追加するだけで、水蒸気等の進入の原因となるようなクラックが外装フィルムに発生するのを抑制することができる。
【００２１】
請求項４に係る電子ペーパによれば、粘弾性部材を追加するだけで、水蒸気等の進入の原因となるようなクラックが外装フィルムに発生するのを抑制することができる。
【００２２】
請求項５に係る電子ペーパによれば、視認性を低下させることなく、水蒸気等の進入の原因となるようなクラックが外装フィルムに発生するのを抑制することができ、落下、衝突等による電子ペーパ本体への衝撃を緩和させることができる。
【００２３】
請求項６に係る電子ペーパによれば、応力緩和部から表示領域までの距離が長くなり、水蒸気等が表示領域に進入し難くなる。
【００２４】
請求項７に係る電子ペーパによれば、外装フィルムの熱圧着を簡単に行うことができる。
【００２５】
請求項８に係る電子ペーパによれば、外装フィルムの接合箇所を減らすことができ、水蒸気等の進入をより抑制することができる。
【００２６】
請求項９に係る電子ペーパによれば、外装フィルムの接合箇所によって視認性が低下するのを防ぐことができる。
【００２７】
請求項１０に係る電子ペーパによれば、コレステリック液晶の特性の劣化を防ぐことができる。
【発明を実施するための最良の形態】
【００２８】
［第１の実施の形態］
図１は、本発明の第１の実施の形態に係る電子ペーパの概略の構成を示す斜視図、図２は、図１のＡ−Ａ線断面図である。
【００２９】
この電子ペーパ１は、薄板矩形状を有する電子ペーパ本体２と、熱圧着により４つの接合部（周辺部）３ａで接合して電子ペーパ本体２を被覆する上側外装フィルム３Ａおよび下側外装フィルム３Ｂと、電子ペーパ本体２の周縁角部に接着剤等により接合された弾性部材としてのパット４とを備えて構成され、図１、図２において上面が表示面１０となっている。
【００３０】
パット４は、例えば、弾性を有するゴム、プラスチック等から形成され、電子ペーパ本体２の上下の周縁角部に全周に渡って設けられ、熱圧着により外装フィルム３Ａ，３Ｂが電子ペーパ本体２の周縁角部に密着したときに外装フィルム３Ａ．３Ｂに生じる応力を緩和する応力緩和部として機能する。
【００３１】
上側外装フィルム３Ａおよび下側外装フィルム３Ｂは、フィルム基板３０に無機水蒸気バリア膜３１を積層して形成されている。上側外装フィルム３Ａおよび下側外装フィルム３Ｂは、４辺の接合部３ａで接合されている。
【００３２】
フィルム基板３０は、例えば、ＰＥＴ（ポリエチレンテレフタレート）、非晶質ＰＥＴ（ＰＥＴ−Ｇ）、ポリ塩化ビニル、ポリエステル等の透明な熱可塑性樹脂からなる。
【００３３】
無機水蒸気バリア膜３１は、例えば、珪素、アルミニウム、チタン等の酸化物、窒化物、フッ化物の単体、またはそれらの複合物からなり、例えば、真空蒸着法、スパッタリング法等によってフィルム基板３０上に形成される。
【００３４】
（電子ペーパ本体）
電子ペーパ本体２は、書換え可能な表示画像を無電源で保持可能であって、薄型矩形状の形態とフレキシブル性を有する。このような電子ペーパ本体２として、本実施の形態では、例えば、電圧の印加と画像光の照射によって画像が書き込まれる光書込み型の電子ペーパ本体２を用いる。
【００３５】
この光書込み型の電子ペーパ本体２は、対向して配置されたＰＥＴ等からなる透明の第１および第２の基板２００Ａ，２００Ｂと、第１および第２の基板２００Ａ，２００Ｂの内側に形成されたＩＴＯ（インジウム錫酸化物）等からなる透明の第１および第２の電極２０１Ａ，２０１Ｂと、コレステリック液晶が封入されたマイクロカプセル２０２ａを有して構成され、第２の電極２０１Ｂの内側に設けられるとともに、印加される電圧に応じて反射率（透過率）が変化する液晶層２０２と、第１の電極２０１Ａの内側に配置され、光の照射によって抵抗値が小さくなる光導電層２０３と、液晶層２０２と光導電層２０３との間に配置された光吸収層２０４とを備える。
【００３６】
第１および第２の電極２０１Ａ，２０１Ｂには、外装フィルム３Ａ，３Ｂの一部に設けた開口（図示せず）を介して電圧が印加されるように構成されている。このように構成された電子ペーパ１は、表示面１０と反対側の面から画像光を照射し、表示面１０側に画像を表示することができる。
【００３７】
なお、電子ペーパ本体２は、光吸収層２０４を第１の電極２０１Ａと光導電層２０３との間に配設し、液晶層２０２と光導電層２０３との間に隔離層２０５を追加してもよい。この場合は、表示面１０側から画像光を照射し、表示面１０側に画像が表示される。
【００３８】
（電子ペーパの製造方法）
次に、第１の実施の形態に係る電子ペーパ１の製造方法の一例について図３を参照して説明する。図３（ａ）、（ｂ）は、外装フィルムの加工方法の一例を示す断面図である。
【００３９】
まず、電子ペーパ本体２の周縁角部に接着剤等によりパット４を接合する。次に、図３（ａ）に示すように、パット４が接合された電子ペーパ本体２を、上側外装フィルム３Ａと下側外装フィルム３Ｂとの間に配置し、それらを耐熱ゴム１１Ａ，１１Ｂを介してプレス上板１２Ａおよびプレス下板１２Ｂの内側に配置する。
【００４０】
次に、図３（ｂ）に示すように、加熱されたプレス上板１２Ａおよびプレス下板１２Ｂで上側外装フィルム３Ａおよび下側外装フィルム３Ｂを電子ペーパ本体２側に加圧する。上側外装フィルム３Ａおよび下側外装フィルム３Ｂの周辺部同士が熱圧着され、接合される。このようにして図１、図２に示す電子ペーパ１が製造される。外装フィルム３Ａ，３Ｂを熱圧着する際、外装フィルム３Ａ，３Ｂが電子ペーパ本体２の周縁角部で曲げられて応力が発生するが、パッド４によりその応力が緩和され、無機水蒸気バリア膜３１にクラックが発生するのが抑制される。
【００４１】
（画像書込み動作）
次に、電子ペーパ１の画像書込み動作について説明する。第１および第２の電極２０１Ａ，２０１Ｂ間に電圧を印加するとともに、画像光を電子ペーパ１の表示面１０と反対側の面から照射すると、画像光が第１の基板２００Ａおよび第１の電極２０１Ａを透過し、光導電層２０３に到達する。
【００４２】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、画像の書込みが終了した後、電子ペーパ２の表示面１０に照明光が照射された場合に、液晶層２０２の光が照射された領域は、光反射率が大きくなるため、照明光が反射して白く見え、光が照射されなかった領域は、照明光が液晶層２０２を透過して光吸収層２０４で吸収されるために黒く見える。これが表示面１０に画像として視認される。この画像は、第１および第２の電極２０１Ａ，２０１Ｂへの電圧印加が消失した後でも、長期間保持される。
【００４３】
［第２の実施の形態］
図４は、本発明の第２の実施の形態に係る電子ペーパの概略の構成を示す断面図である。この電子ペーパ１は、第１の実施の形態とは応力緩和部が異なり、他は第１の実施の形態と同様に構成されている。
【００４４】
本実施の形態の応力緩和部は、電子ペーパ本体２の第１および第２の基板２００Ａ，２００Ｂの周縁角部に傾斜面による面取部２０７を設けたものである。なお、面取部２０７は、弧状面でもよい。
【００４５】
（電子ペーパの製造方法）
次に、第２の実施の形態に係る電子ペーパ１の製造方法の一例について説明する。まず、面取部２０７を有する第１および第２の基板２００Ａ，２００Ｂを用いて電子ペーパ本体２を作製する。
【００４６】
次に、第１の実施の形態と同様に、上側外装フィルム３Ａおよび下側外装フィルム３Ｂ間に電子ペーパ本体２を配置し、それらを耐熱ゴムを介してプレス上板およびプレス下板の内側に配置する。次に、第１の実施の形態と同様に、加熱されたプレス上板およびプレス下板で上側外装フィルム３Ａおよび下側外装フィルム３Ｂを電子ペーパ本体２側に加圧する。上側外装フィルム３Ａおよび下側外装フィルム３Ｂの周辺部同士が熱圧着され、接合される。このようにして図４に示す電子ペーパ１が製造される。外装フィルム３Ａ，３Ｂを熱圧着する際、外装フィルム３Ａ，３Ｂが電子ペーパ本体２の周縁角部で曲げられて応力が発生するが、面取部２０７によりその応力が緩和され、無機水蒸気バリア膜３１にクラックが発生するのが抑制される。
【００４７】
［第３の実施の形態］
図５は、本発明の第３の実施の形態に係る電子ペーパの概略の構成を示す断面図である。この電子ペーパ１は、第１の実施の形態とは応力緩和部が異なり、他は第１の実施の形態と同様に構成されている。
【００４８】
本実施の形態の応力緩和部は、電子ペーパ本体２の第１および第２の基板２００Ａ，２００Ｂの周縁角部に傾斜面による面取部２０７を設け、さらに電子ペーパ本体２の表面を粘弾性部材としての透光性を有するゲル層５で覆い、封止したものである。ゲル層５としては、画像の視認性を損ねないものが好ましく、例えば、日東電工株式会社製の視認性向上シートを用いることができる。なお、面取部２０７は、弧状面でもよい。
【００４９】
（電子ペーパの製造方法）
次に、第３の実施の形態に係る電子ペーパ１の製造方法の一例について説明する。まず、面取部２０７を有する第１および第２の基板２００Ａ，２００Ｂを用いて電子ペーパ本体２を作製し、その表面をゲル層５で覆い、封止する。
【００５０】
次に、第１の実施の形態と同様に、上側外装フィルム３Ａおよび下側外装フィルム３Ｂ間にゲル層５で封止された電子ペーパ本体２を配置し、それらを耐熱ゴムを介してプレス上板およびプレス下板の内側に配置する。次に、第１の実施の形態と同様に、加熱されたプレス上板およびプレス下板で上側外装フィルム３Ａおよび下側外装フィルム３Ｂを電子ペーパ本体２側に加圧する。上側外装フィルム３Ａおよび下側外装フィルム３Ｂの周辺部同士が熱圧着され、接合される。このようにして図５に示す電子ペーパ１が製造される。外装フィルム３Ａ，３Ｂを熱圧着する際、外装フィルム３Ａ，３Ｂが電子ペーパ本体２の周縁角部で曲げられて応力が発生するが、面取部２０７およびゲル層５によりその応力が緩和され、無機水蒸気バリア膜３１にクラックが発生するのが抑制される。
【００５１】
［第４の実施の形態］
図６は、本発明の第４の実施の形態に係る電子ペーパの概略の構成を示す斜視図、図７は、図６のＢ−Ｂ線断面図である。
【００５２】
この電子ペーパ１は、第２の実施の形態とは、外装フィルムおよび面取部が異なり、他は第２の実施の形態と同様に構成されている。
【００５３】
本実施の形態は、熱圧着により１枚の外装フィルム３の対向する端面３ｂ同士を接合して電子ペーパ本体２を筒状に包み、その筒状の両開口を閉塞したものであり、電子ペーパ本体２の周辺に対応する４辺のうち３辺の接合部３ａで接合している。
【００５４】
電子ペーパ本体２の４辺のうち３辺の周縁角部に傾斜面による小面取部２０７Ｂを設け、他の辺の周縁角部に小面取部２０７Ｂより大きな傾斜面による大面取部２０７Ａを設けたものである。なお、面取部２０７Ａ，２０７Ｂは、弧状面でもよい。
【００５５】
（電子ペーパの製造方法）
次に、第４の実施の形態に係る電子ペーパ１の製造方法の一例について説明する。まず、大面取部２０７Ａ、小面取部２０７Ｂを有する第１および第２の基板２００Ａ，２００Ｂを用いて電子ペーパ本体２を作製する。
【００５６】
次に、１枚の外装フィルム３を折ってその間に電子ペーパ本体２を配置し、それらを耐熱ゴムを介してプレス上板およびプレス下板の内側に配置する。次に、加熱されたプレス上板およびプレス下板で外装フィルム３を電子ペーパ本体２側に加圧する。外装フィルム３の周辺部同士が熱圧着され、接合される。このようにして図６、図７に示す電子ペーパ１が製造される。外装フィルム３を熱圧着する際、外装フィルム３が電子ペーパ本体２の周縁角部で曲げられて応力が発生するが、大面取部２０７Ａおよび小面取部２０７Ｂによりその応力が緩和され、無機水蒸気バリア膜３１にクラックが発生するのが抑制される。
【００５７】
［第５の実施の形態］
図８は、本発明の第５の実施の形態に係る電子ペーパの概略の構成を示す斜視図、図９は、図８のＢ−Ｂ線断面図である。
【００５８】
この電子ペーパ１は、第４の実施の形態とは、外装フィルムの筒状にする接合端の位置が異なり、他は第４の実施の形態と同様に構成されている。
【００５９】
本実施の形態は、熱圧着により１枚の外装フィルム３の対向する端面３ｂ同士を接合して電子ペーパ本体２を筒状に包み、端面３ｂが表示面１０と反対の面に位置するように筒状の両開口を閉塞したものであり、電子ペーパ本体２の周辺に対応する４辺のうち対向する２辺の接合部３ａで接合している。
【００６０】
なお、電子ペーパ本体２は、外装フィルム３の端面３ｂが画像光の妨げとならないように光吸収層２０４を第１の電極２０１Ａと光導電層２０３との間に配設し、液晶層２０２と光導電層２０３との間に隔離層２０５を追加してもよい。この場合は、表示面１０側から画像光を照射し、表示面１０側に画像が表示される。
【００６１】
（電子ペーパの製造方法）
次に、第５の実施の形態に係る電子ペーパ１の製造方法の一例について説明する。まず、大面取部２０７Ａ、小面取部２０７Ｂを有する第１および第２の基板２００Ａ，２００Ｂを用いて電子ペーパ本体２を作製する。
【００６２】
次に、１枚の外装フィルム３の対向する端面３ｂが表示面１０と反対の面側に位置するように外装フィルム３で電子ペーパ本体２を筒状に包み、それらを耐熱ゴムを介してプレス上板およびプレス下板の内側に配置する。次に、加熱されたプレス上板およびプレス下板で外装フィルム３を電子ペーパ本体２側に加圧する。外装フィルム３の周辺部同士が熱圧着され、接合される。このようにして図８、図９に示す電子ペーパ１が製造される。外装フィルム３を熱圧着する際、外装フィルム３が電子ペーパ本体２の周縁角部で曲げられて応力が発生するが、大面取部２０７Ａおよび小面取部２０Ｂによりその応力が緩和され、無機水蒸気バリア膜３１にクラックが発生するのが抑制される。
【００６３】
［第６の実施の形態］
図１０は、本発明の第６の実施の形態に係る電子ペーパの概略の構成を示す断面図である。この電子ペーパ１は、第１の実施の形態とは応力緩和部が異なり、他は第１の実施の形態と同様に構成される。
【００６４】
本実施の形態の応力緩和部は、電子ペーパ本体２の外側に枠部６を設け、その枠部６の周縁角部に傾斜面による面取部６ａを設けたものである。枠部６は、樹脂、ゴム、金属等から形成されているが、外装フィルム３の応力緩和の観点より、弾性を有する樹脂やゴム等から形成するのが好ましい。なお、面取部６ａは、弧状面でもよい。
【００６５】
（電子ペーパの製造方法）
次に、第６の実施の形態に係る電子ペーパ１の製造方法の一例について説明する。電子ペーパ本体２の外側に外枠６を設け、次に、第１の実施の形態と同様に、上側外装フィルム３Ａおよび下側外装フィルム３Ｂ間に外枠６を有する電子ペーパ本体２を配置し、それらを耐熱ゴムを介してプレス上板およびプレス下板の内側に配置する。次に、第１の実施の形態と同様に、加熱されたプレス上板およびプレス下板で上側外装フィルム３Ａおよび下側外装フィルム３Ｂを電子ペーパ本体２側に加圧する。上側外装フィルム３Ａおよび下側外装フィルム３Ｂの周辺部同士が熱圧着され、接合される。このようにして図１０に示す電子ペーパ１が製造される。外装フィルム３Ａ，３Ｂを熱圧着する際、外装フィルム３Ａ，３Ｂが外枠６の周縁角部で曲げられて応力が発生するが、画像表示領域から離れた一に設けられた枠部６の面取部６ａによりその応力が緩和され、無機水蒸気バリア膜３１にクラックが発生するのが抑制される。
【００６６】
［他の実施の形態］
なお、本発明は、上記各実施の形態に限定されず、本発明の趣旨を逸脱しない範囲内で種々な変形が可能である。また、本発明の趣旨を逸脱しない範囲内で各実施の形態間の構成要素を任意に組み合わせることができる。
【００６７】
例えば、第３の実施の形態で用いたゲル層を他の実施の形態に追加してもよい。また、第１の実施の形態のパッドの代わりにゲル層を電子ペーパ本体の表面全体を覆ってもよい。
【００６８】
また、上記各実施の形態では、光書込型の電子ペーパを例に挙げたが、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の電子ペーパを用いてもよい。
【図面の簡単な説明】
【００６９】
【図１】図１は、本発明の第１の実施の形態に係る電子ペーパの概略の構成を示す斜視図である。
【図２】図２は、図１のＡ−Ａ線断面図である。
【図３】図３（ａ）、（ｂ）は、外装フィルムの加工方法の一例を示す断面図である。
【図４】図４は、本発明の第２の実施の形態に係る電子ペーパの概略の構成を示す断面図である。
【図５】図５は、本発明の第３の実施の形態に係る電子ペーパの概略の構成を示す断面図である。
【図６】図６は、本発明の第４の実施の形態に係る電子ペーパの概略の構成を示す斜視図である。
【図７】図７は、図６のＢ−Ｂ線断面図である。
【図８】図８は、本発明の第５の実施の形態に係る電子ペーパの概略の構成を示す斜視図である。
【図９】図９は、図８のＢ−Ｂ線断面図である。
【図１０】図１０は、本発明の第６の実施の形態に係る電子ペーパの概略の構成を示す断面図である。
【符号の説明】
【００７０】
１  電子ペーパ
２  電子ペーパ本体
３  外装フィルム
３Ａ  上側外装フィルム
３Ｂ  下側外装フィルム
３ａ  接合部
３ｂ  接合端
４  パット
５  ゲル層
６  外枠
６ａ  面取部
１０  表示面
１１Ａ，１１Ｂ  耐熱ゴム
１２Ａ  プレス上板
１２Ｂ  プレス下板
３０  フィルム基板
３１  無機水蒸気バリア膜
２００Ａ，２００Ｂ  基板
２０１Ａ，２０１Ｂ  電極
２０２ａ  マイクロカプセル
２０２  液晶層
２０３  光導電層
２０４  光吸収層
２０７  面取部
２０７Ａ  大面取部
２０７Ｂ  小面取部
【図１】
2008275684.tif 000003
【図２】
2008275684.tif 000004
【図３】
2008275684.tif 000005
【図４】
2008275684.tif 000006
【図５】
2008275684.tif 000007
【図６】
2008275684.tif 000008
【図７】
2008275684.tif 000009
【図８】
2008275684.tif 000010
【図９】
2008275684.tif 000011
【図１０】
2008275684.tif 000012